(57)【要約】【課題】簡単且つ経済的な構成で、電力取り出し端子と導電部材との締結不良を可及的に阻止し、確実な電気的接続を行うことを可能にする。【解決手段】バスバー６８は、ケーシング７０を構成する板状基板部７１と矩形状本体部７２とに保持された状態で、第２電力取り出し端子５４ｂに締結手段６４を介して固定される。締結手段６４を構成する締結ナット６４ｂは、保持手段８８を介して、少なくとも締結作業前にバスバー６８に対して保持される。この保持手段８８は、第３円筒連結部７４ｃの内壁面に形成され、締結ナット６４ｂをバスバー６８との間で抜け止め保持可能なリング状リブ部９０を備える。【選択図】図５
2009146831.tif 000002
【特許請求の範囲】
【請求項１】
一対の電極が電解質の両側に設けられた電解質・電極構造体とセパレータとを有する発電セルを設け、前記発電セルが複数積層された積層体の積層方向両端にターミナルプレート、絶縁プレート及びエンドプレートが配設されるとともに、各ターミナルプレートから外方に突出して電力取り出し端子が設けられる燃料電池スタックであって、
少なくとも一方の前記電力取り出し端子に電気的に接続され、前記燃料電池スタックの外方に延在する導電部材と、
一方の前記電力取り出し端子と前記導電部材とを固定するための締結手段と、
前記締結手段を構成するナット部材又はボルト部材を、少なくとも締結作業前に前記導電部材に対して保持可能な保持手段と、
を備えることを特徴とする燃料電池スタック。
【請求項２】
請求項１記載の燃料電池スタックにおいて、前記導電部材は、電気絶縁性ケーシングに収容されるとともに、一方の前記電力取り出し端子と交差するエンドプレート面方向に屈曲して延在するバスバーで構成され、
前記バスバーには、他方の前記電力取り出し端子側に延在するケーブルが電気的に接続されることを特徴とする燃料電池スタック。
【請求項３】
請求項２記載の燃料電池スタックにおいて、前記ナット部材の外周部には、外方に膨出する大径部が設けられるとともに、
前記保持手段は、前記電気絶縁性ケーシング内に形成され、前記ナット部材の前記大径部に係合して前記ナット部材を前記バスバーとの間で抜け止め保持可能なリブ部を備えることを特徴とする燃料電池スタック。
【請求項４】
請求項２記載の燃料電池スタックにおいて、前記保持手段は、前記バスバーに固着されるとともに、前記ナット部材を前記バスバーに対して回転可能に保持する固定リング部材を備えることを特徴とする燃料電池スタック。
【発明の詳細な説明】
【技術分野】
【０００１】
本発明は、一対の電極が電解質の両側に設けられた電解質・電極構造体とセパレータとを有する発電セルを設け、前記発電セルが複数積層された積層体の積層方向両端にターミナルプレート、絶縁プレート及びエンドプレートが配設されるとともに、各ターミナルプレートから外方に突出して電力取り出し端子が設けられる燃料電池スタックに関する。
【背景技術】
【０００２】
例えば、固体高分子型燃料電池は、高分子イオン交換膜からなる電解質膜（電解質）の両側に、それぞれアノード側電極及びカソード側電極を配設した電解質膜・電極構造体（電解質・電極構造体）を、セパレータによって挟持した発電セルを備えている。この種の燃料電池は、通常、所定の数の発電セルを積層することにより、燃料電池スタックとして使用されている。
【０００３】
この種の燃料電池スタックでは、通常、発電セルが複数積層された積層体の積層方向両端に、ターミナルプレート、絶縁プレート及びエンドプレートが配設されている。ターミナルプレートは、積層体からの発電電力を外部に取り出すために電力取り出し端子を備えており、この電力取り出し端子は、コンタクタ（又はリレー）に接続されてモータ等の外部負荷に対して電力の供給を行っている。
【０００４】
例えば、特許文献１に開示された燃料電池の端子装置では、図９に示すように、単位セル１とバイポーラプレート２とが交互に積層されるとともに、積層方向両端には、それぞれハーフプレート２ａ、ターミナルプレート３及び絶縁板４を介装してエンドプレート５が配置されている。
【０００５】
ターミナルプレート３には、極柱（電力取り出し端子）６が電気的に接続され、この極柱６が絶縁板４及びエンドプレート５を貫通して外部に突出している。極柱６は、絶縁スリーブ７に挿入されるとともに、ナット８を介して固定されている。極柱６には、ナット８（又は他のナット）を介して図示しない高電圧ケーブル（導電部材）が接続され、このケーブルが図示しないコンタクタ等に接続されている。
【０００６】
【特許文献１】実開昭６１−７８６８号公報
【発明の開示】
【発明が解決しようとする課題】
【０００７】
ところで、上記の燃料電池を組み立てる際に、例えば、ナット８を極柱６に締め付ける作業を忘れるおそれがある。特に小さな部品であるナット８等の管理は、相当に煩雑となるからである。このため、極柱６とケーブルとの接続不良が発生し易くなり、電気的接触不良が惹起されるという問題がある。
【０００８】
本発明はこの種の問題を解決するものであり、簡単且つ経済的な構成で、電力取り出し端子と導電部材との締結不良を可及的に阻止し、確実な電気的接続を行うことが可能な燃料電池スタックを提供することを目的とする。
【課題を解決するための手段】
【０００９】
本発明は、一対の電極が電解質の両側に設けられた電解質・電極構造体とセパレータとを有する発電セルを設け、前記発電セルが複数積層された積層体の積層方向両端にターミナルプレート、絶縁プレート及びエンドプレートが配設されるとともに、各ターミナルプレートから外方に突出して電力取り出し端子が設けられる燃料電池スタックに関するものである。
【００１０】
この燃料電池スタックは、少なくとも一方の電力取り出し端子に電気的に接続され、前記燃料電池スタックの外方に延在する導電部材と、一方の前記電力取り出し端子と前記導電部材とを固定するための締結手段と、前記締結手段を構成するナット部材又はボルト部材を、少なくとも締結作業前に前記導電部材に対して保持可能な保持手段とを備えている。
【００１１】
また、導電部材は、電気絶縁性ケーシングに収容されるとともに、一方の電力取り出し端子と交差するエンドプレート面方向に屈曲して延在するバスバーで構成され、前記バスバーには、他方の電力取り出し端子側に延在するケーブルが電気的に接続されることが好ましい。
【００１２】
さらに、ナット部材の外周部には、外方に膨出する大径部が設けられるとともに、保持手段は、電気絶縁性ケーシング内に形成され、前記ナット部材の前記大径部に係合して前記ナット部材をバスバーとの間で抜け止め保持可能なリブ部を備えることが好ましい。
【００１３】
さらにまた、保持手段は、バスバーに固着されるとともに、ナット部材を前記バスバーに対して回転可能に保持する固定リング部材を備えることが好ましい。
【発明の効果】
【００１４】
本発明によれば、一方の電力取り出し端子と導電部材とを固定する際、締結手段を構成するナット部材又はボルト部材が、前記導電部材に対して保持されている。従って、例えば、ナット部材が導電部材に対して保持されているため、このナット部材を個別に管理する必要がなく、前記ナット部材の締め忘れを確実に阻止することができる。これにより、簡単且つ経済的な構成で、電力取り出し端子と導電部材との締結不良を可及的に阻止し、確実な電気的接続を行うことが可能になる。
【発明を実施するための最良の形態】
【００１５】
図１は、本発明の第１の実施形態に係る燃料電池スタック１０が搭載される車両１２の一部平面説明図である。
【００１６】
燃料電池スタック１０は、車両１２の車長方向（矢印Ｌ方向）略中央部に位置して配置される。燃料電池スタック１０の走行方向（矢印Ｌ１方向）前方には、前記燃料電池スタック１０の発生電力の供給を制御するコンタクタ等を有するデバイス１４が配置される。
【００１７】
図２に示すように、燃料電池スタック１０は、複数の発電セル１６が水平方向（矢印Ａ方向）に積層された積層体１８を設ける。積層体１８の積層方向（矢印Ａ方向）の一端には、ターミナルプレート２０ａ、絶縁プレート２２ａ及びエンドプレート２４ａが外方に向かって配設される。積層体１８の積層方向の他端には、ターミナルプレート２０ｂ、絶縁プレート２２ｂ及びエンドプレート２４ｂが外方に向かって配設される。
【００１８】
燃料電池スタック１０は、鉛直方向（矢印Ｃ方向）に長尺（縦長）な四角形に構成される金属製のエンドプレート２４ａ、２４ｂを端板として含むケーシング２６を備えている。このケーシング２６は、エンドプレート２４ａ、２４ｂにヒンジ構造を介して固定される４枚の側板２８を有する（図２及び図３参照）。
【００１９】
図４に示すように、各発電セル１６は、電解質膜・電極構造体（電解質・電極構造体）３０と、前記電解質膜・電極構造体３０を挟持する薄板波形状の第１及び第２金属セパレータ３２、３４とを備え、これらが縦長に構成される。なお、第１及び第２金属セパレータ３２、３４に代替して、例えば、カーボンセパレータを使用してもよい。
【００２０】
発電セル１６の矢印Ｃ方向の一端縁部には、矢印Ａ方向に互いに連通して、酸化剤ガス、例えば、酸素含有ガスを供給するための酸化剤ガス供給連通孔３６ａ、及び燃料ガス、例えば、水素含有ガスを供給するための燃料ガス供給連通孔３８ａが設けられる。発電セル１６の矢印Ｃ方向の他端縁部には、矢印Ａ方向に互いに連通して、燃料ガスを排出するための燃料ガス排出連通孔３８ｂ、及び酸化剤ガスを排出するための酸化剤ガス排出連通孔３６ｂが設けられる。
【００２１】
発電セル１６の矢印Ｂ方向の一端縁部には、矢印Ａ方向に互いに連通して、冷却媒体を供給するための冷却媒体供給連通孔４０ａが設けられるとともに、前記発電セル１６の矢印Ｂ方向の他端縁部には、矢印Ａ方向に互いに連通して、前記冷却媒体を排出するための冷却媒体排出連通孔４０ｂが設けられる。
【００２２】
電解質膜・電極構造体３０は、例えば、パーフルオロスルホン酸の薄膜に水が含浸された固体高分子電解質膜４２と、前記固体高分子電解質膜４２を挟持するアノード側電極４４及びカソード側電極４６とを備える。
【００２３】
第１金属セパレータ３２の電解質膜・電極構造体３０に向かう面３２ａには、燃料ガス供給連通孔３８ａと燃料ガス排出連通孔３８ｂとを連通する燃料ガス流路４８が形成される。この燃料ガス流路４８は、例えば、矢印Ｃ方向に延在する溝部により構成される。第１金属セパレータ３２の面３２ｂには、冷却媒体供給連通孔４０ａと冷却媒体排出連通孔４０ｂとを連通する冷却媒体流路５０が形成される。この冷却媒体流路５０は、矢印Ｂ方向に延在する溝部により構成される。
【００２４】
第２金属セパレータ３４の電解質膜・電極構造体３０に向かう面３４ａには、例えば、矢印Ｃ方向に延在する溝部からなる酸化剤ガス流路５２が設けられるとともに、この酸化剤ガス流路５２は、酸化剤ガス供給連通孔３６ａと酸化剤ガス排出連通孔３６ｂとに連通する。第２金属セパレータ３４の面３４ｂには、第１金属セパレータ３２の面３２ｂと重なり合って冷却媒体流路５０が一体的に形成される。第１金属セパレータ３２の面３２ａ、３２ｂ及び第２金属セパレータ３４の面３４ａ、３４ｂには、図示しないが、シール部材が一体成形される。
【００２５】
図２に示すように、ターミナルプレート２０ａの面内中央から上方に所定距離だけ離間する位置には、積層方向外方に延在して第１電力取り出し端子５４ａが設けられる。第１電力取り出し端子５４ａは、絶縁性筒状部５６に挿入された状態で、絶縁プレート２２ａ及びエンドプレート２４ａの孔部５８ａを貫通して外部に突出する。第１電力取り出し端子５４ａには、ボルト６０を介して略Ｌ字状の導電板６２が固定される。
【００２６】
図３に示すように、ターミナルプレート２０ｂの面内中央から上方に所定距離だけ離間する位置には、積層方向外方に延在して第２電力取り出し端子５４ｂが設けられる。
【００２７】
図３及び図５に示すように、第２電力取り出し端子５４ｂには、締結手段６４を介して導電部材、例えば、バスバー６８の一端が電気的に接続されるとともに、前記バスバー６８は、前記第２電力取り出し端子５４ｂと交差するエンドプレート面方向に屈曲して延在する。
【００２８】
締結手段６４は、第２電力取り出し端子５４ｂの内部に形成された段付き孔部６６に、ターミナルプレート２０ｂの内側（積層体１８側）から挿入される取り付けボルト（ボルト部材）６４ａと、バスバー６８の孔部６８ａに挿入される前記取り付けボルト６４ａの端部に螺合する締結ナット（ナット部材）６４ｂとを備える。第２電力取り出し端子５４ｂには、円柱外周面の両側部を切り欠いて平坦係止面６９が形成される（図３参照）。
【００２９】
バスバー６８は、ケーシング７０に収容される。図５及び図６に示すように、ケーシング７０は、電気絶縁部材、例えば、樹脂系材料で形成されており、長尺な板状基板部７１と、長尺な矩形状本体部７２とを個別に有する。板状基板部７１の長手方向両端には、第１円筒連結部７４ａ及び第２円筒連結部７４ｂが設けられるとともに、前記第１円筒連結部７４ａ側に近接して膨出部７６が設けられる。この膨出部７６には、孔部７８が形成され、前記孔部７８から挿入されるボルト８０は、エンドプレート２４ｂに形成されたねじ孔８２に螺合することにより、板状基板部７１が前記エンドプレート２４ｂに固定される（図５参照）。
【００３０】
第１円筒連結部７４ａには、第２電力取り出し端子５４ｂを嵌合するための孔部８４が形成される。この孔部８４は、第２電力取り出し端子５４ｂの平坦係止面６９に対応する開口形状に設定されることにより、ケーシング７０の回り止め機構が構成される。図５に示すように、第１円筒連結部７４ａは、エンドプレート２４ｂに形成された孔部８６に挿入される。
【００３１】
矩形状本体部７２の長手方向両端には、第１円筒連結部７４ａ及び第２円筒連結部７４ｂと同軸上に第３円筒連結部７４ｃ及び第４円筒連結部７４ｄが設けられる。第３円筒連結部７４ｃには、締結手段６４を構成する締結ナット６４ｂを、少なくとも締結作業前にバスバー６８に対して保持可能な保持手段８８が設けられる。
【００３２】
この保持手段８８は、第３円筒連結部７４ｃの内壁面に形成され、締結ナット６４ｂの大径部６４ｂ１に係合して前記締結ナット６４ｂをバスバー６８との間で抜け止め保持可能なリング状リブ部９０を備える（図５及び図６参照）。
【００３３】
バスバー６８の他端には、孔部６８ｂが形成される。第２円筒連結部７４ｂ及び第４円筒連結部７４ｄ内で孔部６８ｂにボルト９２が挿入されることにより、バスバー６８の他端に高電圧ケーブル９４が固定される。
【００３４】
第２円筒連結部７４ｂ及び第４円筒連結部７４ｄは、エンドプレート２４ｂの下部側に配置される（図３参照）。この第２円筒連結部７４ｂ及び第４円筒連結部７４ｄ内でバスバー６８の他端に連結された高電圧ケーブル９４は、燃料電池スタック１０の側方に沿ってエンドプレート２４ａ側に延在し、デバイス１４に電気的に接続される。図５に示すように、第３円筒連結部７４ｃ及び第４円筒連結部７４ｄの開口端側には、絶縁性キャップ９６が装着される。
【００３５】
図２に示すように、エンドプレート２４ａには、矢印Ｃ方向に延在してそれぞれ冷却媒体入口マニホールド１００ａと、冷却媒体出口マニホールド１００ｂとが装着される。冷却媒体入口マニホールド１００ａは、冷却媒体供給連通孔４０ａに連通する一方、冷却媒体出口マニホールド１００ｂは、冷却媒体排出連通孔４０ｂに連通する。冷却媒体入口マニホールド１００ａ及び冷却媒体出口マニホールド１００ｂは、図示しないが、車体前方に配置されたラジエータ（熱交換器）に連通している。
【００３６】
図３に示すように、エンドプレート２４ｂの上部側には、酸化剤ガス供給連通孔３６ａに連通する酸化剤ガス入口マニホールド１０２ａと、燃料ガス供給連通孔３８ａに連通する燃料ガス入口マニホールド１０４ａとが設けられる。エンドプレート２４ｂの下部側には、酸化剤ガス排出連通孔３６ｂに連通する酸化剤ガス出口マニホールド１０２ｂと、燃料ガス排出連通孔３８ｂに連通する燃料ガス出口マニホールド１０４ｂとが設けられる。
【００３７】
図２及び図３に示すように、エンドプレート２４ａ、２４ｂの下側には、マウントブラケット１０６がボルト１０８を介して固定される。各マウントブラケット１０６は、ボルト１１０を介して車両１２に固定される。
【００３８】
次に、燃料電池スタック１０を組み付ける作業について、説明する。
【００３９】
先ず、図６に示すように、ケーシング７０を構成する板状基板部７１と矩形状本体部７２との間に、バスバー６８が配置されるとともに、前記バスバー６８には、孔部６８ａに対応して締結ナット６４ｂが配置される。そして、板状基板部７１と矩形状本体部７２とは、互いに一体的に組み合わされて接合されることにより、ケーシング７０が得られる。
【００４０】
その際、図７に示すように、締結ナット６４ｂの大径部６４ｂ１は、保持手段８８を構成するリング状リブ部９０に係合している。このため、前記締結ナット６４ｂは、リング状リブ部９０とバスバー６８との間で抜け止め保持されている。
【００４１】
次いで、ケーシング７０は、エンドプレート２４ｂに取り付けられる。具体的には、図５に示すように、第１円筒連結部７４ａは、エンドプレート２４ａの孔部８６に挿入されるとともに、この第１円筒連結部７４ａの孔部８４に第２電力取り出し端子５４ｂが嵌合する。
【００４２】
ケーシング７０は、膨出部７６の孔部７８に挿入されるボルト８０がエンドプレート２４ｂのねじ孔８２に螺合することにより、このエンドプレート２４ｂに固定されるとともに、バスバー６８の両端部に第２電力取り出し端子５４ｂと高電圧ケーブル９４とが電気的に接続される。
【００４３】
第２電力取り出し端子５４ｂでは、取り付けボルト６４ａと締結ナット６４ｂとの締結作業が行われ、前記第２電力取り出し端子５４ｂにバスバー６８の一端部が固定される。一方、バスバー６８の他端には、ボルト９２を介して高電圧ケーブル９４が固定される。そして、第３円筒連結部７４ｃ及び第４円筒連結部７４ｄには、絶縁性キャップ９６が装着される。
【００４４】
この場合、第１の実施形態では、板状基板部７１と矩形状本体部７２とをバスバー６８を介装して一体に接着する際、このバスバー６８の一端部側には、締結ナット６４ｂが保持手段８８を構成するリング状リブ部９０を介して保持されている。このため、ケーシング７０をエンドプレート２４ｂに取り付ける際、締結ナット６４ｂを個別に管理する必要がない。
【００４５】
従って、特に小さな部品である締結ナット６４ｂの締め忘れを確実に阻止することができる。これにより、簡単且つ経済的な構成で、第２電力取り出し端子５４ｂとバスバー６８との締結不良を可及的に阻止し、確実な電気的接続を行うことが可能になるという効果が得られる。
【００４６】
このように構成される燃料電池スタック１０の動作について、以下に説明する。
【００４７】
燃料電池スタック１０では、先ず、図３に示すように、エンドプレート２４ｂの酸化剤ガス入口マニホールド１０２ａから酸化剤ガス供給連通孔３６ａに酸素含有ガス等の酸化剤ガスが供給されるとともに、燃料ガス入口マニホールド１０４ａから燃料ガス供給連通孔３８ａに水素含有ガス等の燃料ガスが供給される。一方、図２に示すように、エンドプレート２４ａの冷却媒体入口マニホールド１００ａから冷却媒体供給連通孔４０ａに純水やエチレングリコール等の冷却媒体が供給される。
【００４８】
このため、積層体１８では、矢印Ａ方向に重ね合わされた複数の発電セル１６に対して、酸化剤ガス、燃料ガス及び冷却媒体が矢印Ａ方向に供給される。図４に示すように、酸化剤ガスは、酸化剤ガス供給連通孔３６ａから第２金属セパレータ３４の酸化剤ガス流路５２に導入され、電解質膜・電極構造体３０のカソード側電極４６に沿って移動する。一方、燃料ガスは、燃料ガス供給連通孔３８ａから第１金属セパレータ３２の燃料ガス流路４８に導入され、電解質膜・電極構造体３０のアノード側電極４４に沿って移動する。
【００４９】
従って、各電解質膜・電極構造体３０では、カソード側電極４６に供給される酸化剤ガスと、アノード側電極４４に供給される燃料ガスとが、電極触媒層内で電気化学反応により消費され、発電が行われる。
【００５０】
次いで、カソード側電極４６に供給されて消費された酸化剤ガスは、酸化剤ガス排出連通孔３６ｂに沿って流動した後、エンドプレート２４ｂの酸化剤ガス出口マニホールド１０２ｂから外部に排出される（図３参照）。同様に、アノード側電極４４に供給されて消費された燃料ガスは、燃料ガス排出連通孔３８ｂに排出されて流動し、エンドプレート２４ｂの燃料ガス出口マニホールド１０４ｂからから外部に排出される。
【００５１】
また、冷却媒体は、冷却媒体供給連通孔４０ａから第１及び第２金属セパレータ３２、３４間の冷却媒体流路５０に導入された後、矢印Ｂ方向に沿って流動する。この冷却媒体は、電解質膜・電極構造体３０を冷却した後、冷却媒体排出連通孔４０ｂを移動してエンドプレート２４ａの冷却媒体出口マニホールド１００ｂから排出される（図２参照）。
【００５２】
図８は、本発明の第２の実施形態に係る燃料電池スタック１２０の一部断面図である。なお、第１の実施形態に係る燃料電池スタック１０と同様の構成要素には同一の参照符号を付して、その詳細な説明は省略する。
【００５３】
燃料電池スタック１２０は、締結手段６４を構成する締結ナット６４ｂを、少なくとも締結作業前にバスバー６８に対して保持可能な保持手段１２２を備える。この保持手段１２２は、バスバー６８に固着されるとともに、締結ナット６４ｂを前記バスバー６８に対して回転可能に保持する固定リング部材１２４を備える。
【００５４】
締結ナット６４ｂの外周部には、周溝１２６が形成される一方、固定リング部材１２４の内周には、前記周溝１２６側に突出する内側突起部１２８が形成される。内側突起部１２８が周溝１２６に嵌合することにより、締結ナット６４ｂは、固定リング部材１２４に対して回転自在で且つ取り外し不能に保持される。
【００５５】
バスバー６８には、固定リング部材１２４を配置するための溝部１３０が形成される。この溝部１３０に固定リング部材１２４が配置された状態で、前記固定リング部材１２４がバスバー６８に溶接等により一体化される。
【００５６】
このように構成される第２の実施形態では、バスバー６８の一端部に、予め固定リング部材１２４を介して締結ナット６４ｂが取り外し不能に保持されている。従って、ケーシング７０をエンドプレート２４ｂに取り付ける際に、締結ナット６４ｂの締め忘れを確実に阻止することができる。これにより、簡単且つ経済的な構成で、第２電力取り出し端子５４ｂとバスバー６８との締結不良を可及的に阻止することが可能になる等、第１の実施形態と同様の効果が得られる。
【００５７】
なお、第１及び第２の実施形態では、導電部材としてバスバー６８を用いているが、これに限定されるものではなく、例えば、第２電力取り出し端子５４ｂに連結部材を介してケーブル（図示せず）の一端を前記第２電力取り出し端子５４ｂと直交する方向に延在して固定してもよい。
【００５８】
また、締結手段６４は、締結ナット６４ｂが保持手段８８、１２２を介してバスバー６８に保持されているが、これとは逆に、ボルト部材（図示せず）をバスバー６８に保持可能に構成する一方、ナット部材（図示せず）を第２電力取り出し端子５４ｂに固着して構成してもよい。
【図面の簡単な説明】
【００５９】
【図１】本発明の第１の実施形態に係る燃料電池スタックが搭載される車両の一部平面説明図である。
【図２】前記燃料電池スタックの一方のエンドプレート側の概略斜視図である。
【図３】前記燃料電池スタックの他方のエンドプレート側の概略斜視図である。
【図４】前記燃料電池スタックを構成する発電セルの分解斜視説明図である。
【図５】前記燃料電池スタックの図３中、Ｖ−Ｖ線断面図である。
【図６】前記燃料電池スタックを構成するケーシングの分解斜視説明図である。
【図７】前記ケーシング及び保持手段の一部断面図である。
【図８】本発明の第２の実施形態に係る燃料電池スタックの一部断面図である。
【図９】従来技術の端子装置の断面説明図である。
【符号の説明】
【００６０】
１０、１２０…燃料電池スタック        １２…車両
１４…デバイス                        １６…発電セル
１８…積層体                          ２４ａ、２４ｂ…エンドプレート
２６、７０…ケーシング                ３０…電解質膜・電極構造体
３２、３４…金属セパレータ            ５４ａ、５４ｂ…電力取り出し端子
６４…締結手段                        ６４ａ…取り付けボルト
６４ｂ…締結ナット                    ６８…バスバー
６９…平坦係止面                      ７１…板状基板部
７２…矩形状本体部                    ７４ａ〜７４ｄ…円筒連結部
７６…膨出部                          ８８、１２２…保持手段
９０…リング状リブ部                  ９４…高電圧ケーブル
１２４…固定リング部材                １２６…周溝
１２８…内側突起部
【図１】
2009146831.tif 000003
【図２】
2009146831.tif 000004
【図３】
2009146831.tif 000005
【図４】
2009146831.tif 000006
【図５】
2009146831.tif 000007
【図６】
2009146831.tif 000008
【図７】
2009146831.tif 000009
【図８】
2009146831.tif 000010
【図９】
2009146831.tif 000011